(57)【要約】  【課題】  作業の手間が少なく、また、判定結果が得られるまでの時間を非常に短くすることのできる性格検査用紙、及び性格検査方法を提供する。  【解決手段】  性格検査に用いられる性格検査用紙において、表面に加圧筆記される第１の用紙１１０と、該第１の用紙と重ね合わせてセットされる第２の用紙１２０ａと、第１の用紙１１０の表面に加圧筆記をしたときに該筆記した内容を第２の用紙１２０ａに転写する第１の転写手段とを備え、第２の用紙１２０ａは、その表面の所定位置に前記第１の転写手段により転写された内容をファクシミリ入力型光学式文字読取装置（Facsimile Optical Character Reader：ＦＡＸ−ＯＣＲ）で読み取り処理を行なうのに用いるタイミングマーク１２２ａ〜１２２ｃを有するものとした。  【選択図】  図１
2006212283.tif 000002
【特許請求の範囲】
【請求項１】
性格検査に用いられる性格検査用紙において、
表面に加圧筆記される第１の用紙と、
該第１の用紙と重ね合わせてセットされる第２の用紙と、
前記第１の用紙の表面に加圧筆記をしたときに該筆記した内容を前記第２の用紙に転写する第１の転写手段とを備え、
前記第２の用紙は、その表面の所定位置に前記第１の転写手段により転写された内容をファクシミリ入力型光学式文字読取装置（Facsimile Optical Character Reader：ＦＡＸ−ＯＣＲ）で読み取り処理を行なうのに用いるタイミングマークを有する、
ことを特徴とする性格検査用紙。
【請求項２】
請求項１記載の性格検査用紙において、
前記第１の用紙，第２の用紙とともにセットされる第３の用紙と、
前記第２の用紙の表面に加圧筆記をしたときに該筆記した内容を第３の用紙に転写する第２の転写手段とを備えた、
ことを特徴とする性格検査用紙。
【請求項３】
請求項２記載の性格検査用紙において、
前記第３の用紙は、前記第２の用紙に加圧筆記した際に該第３の用紙に転写された情報に基づいて手作業で検査判定処理をするのに用いられるものである、
ことを特徴とする性格検査用紙。
【請求項４】
請求項１ないし請求項３のいずれかに記載の性格検査用紙において、
前記性格検査は矢田部ギルフォード性格検査であり、前記第１の用紙の表面に加圧筆記される内容には、質問に対する回答を示すマークが含まれる、
ことを特徴とする性格検査用紙。
【請求項５】
請求項２または請求項３に記載の性格検査用紙において、
前記性格検査は矢田部ギルフォード性格検査であり、前記第２の用紙の表面に加圧筆記される内容には、調査される性格特徴の各尺度の粗点が含まれる、
ことを特徴とする性格検査用紙。
【請求項６】
表面に加圧筆記される第１の用紙と、該第１の用紙と重ね合わせてセットされる第２の用紙と、前記第１の用紙の表面に加圧筆記をしたときに該筆記した内容を前記第２の用紙に転写する第１の転写手段とを備え、前記第２の用紙が、その表面の所定位置に前記第１の転写手段により転写された内容をファクシミリ入力型光学式文字読取装置（Facsimile Optical Character Reader：ＦＡＸ−ＯＣＲ）で読み取り処理を行なうのに用いるタイミングマークを有する性格検査用紙を用いる性格検査方法であって、
前記第１の用紙の表面に加圧筆記する筆記工程と、
該筆記工程の後に前記第２の用紙をＦＡＸ送信するＦＡＸ送信工程と、
該ＦＡＸ送信された前記第２の用紙をＦＡＸ−ＯＣＲで読み取り処理し、前記第１の転写手段により前記第１の用紙から転写された内容の一部または全部をテキストデータ化する読み取り処理工程と、
前記テキストデータ化された情報をコンピュータ処理して性格検査の判定処理を行なう判定処理工程とを含む、
ことを特徴とする性格検査方法。
【請求項７】
請求項６記載の性格検査方法において、
前記性格検査用紙は、第１の用紙，第２の用紙とともにセットされる第３の用紙と、前記第２の用紙の表面に加圧筆記をしたときに該筆記した内容を選択的に第３の用紙に転写する第２の転写手段とを備えたものである、
ことを特徴とする性格検査方法。
【請求項８】
請求項６または請求項７に記載の性格検査方法において、
当該性格検査は矢田部ギルフォード性格検査であり、前記読み取り処理工程は、前記第１の転写手段により転写された、質問に対する回答を示すマークをテキストデータ化する処理を含む、
ことを特徴とする性格検査方法。
【発明の詳細な説明】
【技術分野】
【０００１】
本発明は、性格検査用紙及び性格検査方法に関し、特に、ＦＡＸ−ＯＣＲを用いた処理により性格検査の判定処理を容易に行なうことのできる性格検査用紙及び性格検査方法に関するものである。
【背景技術】
【０００２】
従来、性格検査の一手法として、矢田部ギルフォード性格検査がある。矢田部ギルフォード性格検査は、Ｊ.Ｐ.ギルフォード教授が考案したギルフォード人格目録、ギルフォード・マアチン人格目録、ギルフォード・マアチン人事調査目録、の３種類の検査をモデルとして日本向けに標準化したもので、情緒安定性、社会的適応性、活動性、衝動性、内省性、指導制の６因子に含まれる、D(Depression/抑うつ性)、C(Cyclic tendency/回帰性傾向)、I(Inferiority feelings/劣等感)、N(Nervousness/神経質)、O(Objectivity/客観性)、Co(Cooperativeness/協調性)、Ag(Agreeableness/愛想のよさ)、G(General activity/一般的な活動性)、R(Rhathymia/暢気さ)、T(Thinking extraversion/思考外向性)、A(Ascendance/支配性)、S(Social extraversion/社会的外向性)の１２尺度１２０項目からなる質問に対する回答に基づいてA(Average/平均)、B(Blacklist/不安定・積極型)、C(Calm/安定・消極型)、D(Director/安定・積極型)、E(Eccentric/不安定・消極型)の５つに分類するものである。
【０００３】
図７は従来の性格検査用紙の構成を示す図であり、図において、検査用紙６０は、被検者が回答を記入する第１の用紙６１と性格判定処理に用いる第２の用紙６３で構成されている。第１の用紙６１の表面には被検者が質問に対する回答を記入する回答記入欄６２が設けられ、第２の用紙の表面には回答転写欄６４及び粗点記入欄６５が設けられている。回答記入欄６２と回答転写欄６４は、第１の用紙６１と第２の用紙６３が重ね合わされたときに、丁度重なり合う位置に設けられており、第１の用紙６１の回答記入欄６２に記入した内容が第２の用紙６３の回答転写欄６４に選択的に転写されるように複写カーボン等の転写手段が設けられている。図８は第１の用紙６１を示す図、図９は第２の用紙６３を示す図である。転写手段は、答記入欄６２の１２０問分ある回答欄のうち、あるものは「はい」または「？」に印をつけたときにはその印が回答転写欄６４に転写されるが「いいえ」に印をつけたときにはその印が回答転写欄６４に転写されず、残りのものは「いいえ」または「？」に印をつけたときにはその印が回答転写欄６４に転写されるが「はい」に印をつけたときにはその印が回答転写欄６４に転写されない、というように第１の用紙に記入した内容が第２の用紙に選択的に転写されるように設けられている。
【０００４】
次に、従来の性格検査用紙を用いた性格検査方法について説明する。被検者は、「色々な人と知り合いになるのが楽しみである」、「人中ではいつも後の方に引込んでいる」等の１２０問の質問に対し、「はい」、「いいえ」、「どちらでもない、わからない」という回答を第１の用紙６１の表面の回答記入欄６２に○または△のマークで記入していく。第１の用紙６１の回答記入欄６２に記入した内容は転写手段により第２の用紙６３の回答転写欄６４に選択的に転写される。性格判定処理は次のように行なわれる。まず、第２の用紙６３の回答転写欄６４に転写されたマークに応じて算出される点数をそれぞれの尺度の粗点の欄６５に記入する。そして図１０に示すような検査プロフィール表８０の対応する値に印をつけて、この印をつけた検査プロフィール表８０よりA(Average/平均)、B(Blacklist/不安定・積極型)、C(Calm/安定・消極型)、D(Director/安定・積極型)、E(Eccentric/不安定・消極型)の5つに分類する。
【０００５】
ここで、マークに応じて算出される点数をそれぞれの尺度の粗点の欄に記入する、検査プロフィール表の対応する値に印をつける、及び、出来上がったプロフィール表を雛形と比較して性格の分類をする、という判定処理作業はすべて手作業によって行なわれる。
かかる先行技術は、文献公知発明に係るものでないため、記載すべき先行技術文献情報はない。
【発明の開示】
【発明が解決しようとする課題】
【０００６】
従来の性格検査用紙は以上のように構成されており、以下のような問題があった。
このような性格検査は、学校や会社で行なわれることが多いが、学校や会社の担当者等が手作業で判定処理を行なわなければならないため、特に多数の判定処理を行なう際にはかなりの時間と労力を要するという問題がある。また、判定処理を業者に依頼する場合には、業者に検査用紙を郵送や宅配便などで送付して判定処理を行なってもらい、判定結果を返送してもらわなければならないため、検査用紙の送付のための作業の手間がかかり、また、判定結果が得られるまでに時間がかかる、という問題がある。
【０００７】
ここで、判定処理を手作業で行なわなければならないという問題に関しては、回答用紙をマークシート方式にしてマークシート処理電算機を用いて判定を行なうようにすれば判定処理の自動化を図ることが可能であり、すでに矢田部ギルフォード性格検査の判定処理においても、このようなマークシートを用いた自動処理が実用化されている。しかし、マークシート処理電算機を用いた自動診断処理は、マークシート処理電算機を持っている業者にマークシートを郵送や宅配便などで送付してこれを行なってもらい、判定結果を返送してもらわなければならないため、送付のための作業の手間がかかり、また、判定結果が得られるまでに時間がかかる、という問題が残る。
【０００８】
本発明は、以上のような問題点に鑑みてなされたものであり、作業の手間が少なく、また、判定結果が得られるまでの時間を非常に短くすることのできる性格検査用紙、及び性格検査方法を提供することを目的とする。
【課題を解決するための手段】
【０００９】
本発明（請求項１）にかかる性格検査用紙は、格検査に用いられる性格検査用紙において、表面に加圧筆記される第１の用紙と、該第１の用紙と重ね合わせてセットされる第２の用紙と、前記第１の用紙の表面に加圧筆記をしたときに該筆記した内容を前記第２の用紙に転写する第１の転写手段とを備え、前記第２の用紙が、その表面の所定位置に前記第１の転写手段により転写された内容をファクシミリ入力型光学式文字読取装置（Facsimile Optical Character Reader：ＦＡＸ−ＯＣＲ）で処理するのに用いるタイミングマークを有する、ことを特徴とするものである。
【００１０】
また、本発明（請求項２）にかかる性格検査用紙は、請求項１記載の性格検査用紙において、前記第１の用紙，第２の用紙とともにセットされる第３の用紙と、前記第２の用紙の表面に加圧筆記をしたときに該筆記した内容を第３の用紙に転写する第２の転写手段とを備えた、ことを特徴とするものである。
【００１１】
また、本発明（請求項３）にかかる性格検査用紙は、請求項２記載の性格検査用紙において、前記第３の用紙が、前記第２の用紙に加圧筆記した際に該第３の用紙に転写された情報に基づいて手作業で検査判定処理をするのに用いられるものである、ことを特徴とするものである。
【００１２】
また、本発明（請求項４）にかかる性格検査用紙は、請求項１ないし請求項３のいずれかに記載の性格検査用紙において、前記性格検査は矢田部ギルフォード性格検査であり、前記第１の用紙の表面に加圧筆記される内容には、質問に対する回答を示すマークが含まれる、ことを特徴とするものである。
【００１３】
また、本発明（請求項５）にかかる性格検査用紙は、請求項２または請求項３に記載の性格検査用紙において、前記性格検査は矢田部ギルフォード性格検査であり、前記第２の用紙の表面に加圧筆記される内容には、調査される性格特徴の各尺度の粗点が含まれる、ことを特徴とするものである。
【００１４】
また、本発明（請求項６）にかかる性格検査方法は、表面に加圧筆記される第１の用紙と、該第１の用紙と重ね合わせてセットされる第２の用紙と、前記第１の用紙の表面に加圧筆記をしたときに該筆記した内容を前記第２の用紙に転写する第１の転写手段とを備え、前記第２の用紙が、その表面の所定位置に前記第１の転写手段により転写された内容をファクシミリ入力型光学式文字読取装置（Facsimile Optical Character Reader：ＦＡＸ−ＯＣＲ）で読み取り処理を行なうのに用いるタイミングマークを有する性格検査用紙を用いる性格検査方法であって、前記第１の用紙の表面に加圧筆記する筆記工程と、該筆記工程の後に前記第２の用紙をＦＡＸ送信するＦＡＸ送信工程と、該ＦＡＸ送信された前記第２の用紙をＦＡＸ−ＯＣＲで読み取り処理し、前記第１の転写手段により前記第１の用紙から転写された内容の一部または全部をテキストデータ化する読み取り処理工程と、前記テキストデータ化された情報をコンピュータ処理して性格検査の判定処理を行なう判定処理工程とを含む、ことを特徴とするものである。
【００１５】
また、本発明（請求項７）にかかる性格検査方法は、請求項６記載の性格検査方法において、前記性格検査用紙が、第１の用紙，第２の用紙とともにセットされる第３の用紙と、前記第２の用紙の表面に加圧筆記をしたときに該筆記した内容を選択的に第３の用紙に転写する第２の転写手段とを備えたものである、ことを特徴とするものである。
【００１６】
また、本発明（請求項８）にかかる性格検査方法は、請求項６または請求項７に記載の性格検査方法において、当該性格検査が矢田部ギルフォード性格検査であり、前記読み取り処理工程は、前記第１の転写手段により転写された、質問に対する回答を示すマークをテキストデータ化する処理を含む、ことを特徴とするものである。
ことを特徴とするものである。
【発明の効果】
【００１７】
本発明（請求項１）にかかる性格検査用紙によれば、格検査に用いられる性格検査用紙において、表面に加圧筆記される第１の用紙と、該第１の用紙と重ね合わせてセットされる第２の用紙と、前記第１の用紙の表面に加圧筆記をしたときに該筆記した内容を前記第２の用紙に転写する第１の転写手段とを備え、前記第２の用紙が、その表面の所定位置に前記第１の転写手段により転写された内容をファクシミリ入力型光学式文字読取装置（Facsimile Optical Character Reader：ＦＡＸ−ＯＣＲ）で処理するのに用いるタイミングマークを有する構成としたから、ＦＡＸ−ＯＣＲを用いたコンピュータ処理により性格検査の判定処理を行なうことができ、手作業の手間を少なくでき、また、判定結果が得られるまでの時間を非常に短くすることができる効果がある。
【００１８】
また、本発明（請求項２）にかかる性格検査用紙によれば、請求項１記載の性格検査用紙において、前記第１の用紙，第２の用紙とともにセットされる第３の用紙と、前記第２の用紙の表面に加圧筆記をしたときに該筆記した内容を第３の用紙に転写する第２の転写手段とを備えた構成としたから、性格検査の手作業による判定処理を行なう場合にも対応できる効果がある。
【００１９】
また、本発明（請求項３）にかかる性格検査用紙によれば、請求項２記載の性格検査用紙において、前記第３の用紙が、前記第２の用紙に加圧筆記した際に該第３の用紙に転写された情報に基づいて手作業で検査判定処理をするのに用いられるものとしたから、該第３の用紙を用いて、性格検査の手作業による判定処理を行なうことができる効果がある。
【００２０】
また、本発明（請求項４）にかかる性格検査用紙によれば、請求項１ないし請求項３のいずれかに記載の性格検査用紙において、前記性格検査は矢田部ギルフォード性格検査であり、前記第１の用紙の表面に加圧筆記される内容には、質問に対する回答を示すマークが含まれるものとしたから、矢田部ギルフォード性格検査において、手作業の手間を少なくでき、また、判定結果が得られるまでの時間を非常に短くすることができる効果がある。
【００２１】
また、本発明（請求項５）にかかる性格検査用紙によれば、請求項２または請求項３に記載の性格検査用紙において、前記性格検査は矢田部ギルフォード性格検査であり、前記第２の用紙の表面に加圧筆記される内容には、調査される性格特徴の各尺度の粗点が含まれるものとしたから、矢田部ギルフォード性格検査の各尺度の粗点集計処理を手作業で行なう場合に対応できる効果がある。
【００２２】
また、本発明（請求項６）にかかる性格検査方法によれば、表面に加圧筆記される第１の用紙と、該第１の用紙と重ね合わせてセットされる第２の用紙と、前記第１の用紙の表面に加圧筆記をしたときに該筆記した内容を前記第２の用紙に転写する第１の転写手段とを備え、前記第２の用紙が、その表面の所定位置に前記第１の転写手段により転写された内容をファクシミリ入力型光学式文字読取装置（Facsimile Optical Character Reader：ＦＡＸ−ＯＣＲ）で読み取り処理を行なうのに用いるタイミングマークを有する性格検査用紙を用いる性格検査方法であって、前記第１の用紙の表面に加圧筆記する筆記工程と、該筆記工程の後に前記第２の用紙をＦＡＸ送信するＦＡＸ送信工程と、該ＦＡＸ送信された前記第２の用紙をＦＡＸ−ＯＣＲで読み取り処理し、前記第１の転写手段により前記第１の用紙から転写された内容の一部または全部をテキストデータ化する読み取り処理工程と、前記テキストデータ化された情報をコンピュータ処理して性格検査の判定処理を行なう判定処理工程とを含むものとしたから、手作業の手間を少なくでき、また、判定結果が得られるまでの時間を非常に短くすることができる効果がある。
【００２３】
また、本発明（請求項７）にかかる性格検査方法によれば、請求項６記載の性格検査方法において、前記性格検査用紙が、第１の用紙，第２の用紙とともにセットされる第３の用紙と、前記第２の用紙の表面に加圧筆記をしたときに該筆記した内容を選択的に第３の用紙に転写する第２の転写手段とを備えたものとしたから、性格検査の手作業による判定処理を行なう場合にも対応できる効果がある。
【００２４】
また、本発明（請求項８）にかかる性格検査方法によれば、請求項６または請求項７に記載の性格検査方法において、当該性格検査が矢田部ギルフォード性格検査であり、前記読み取り処理工程は、前記第１の転写手段により転写された、質問に対する回答を示すマークをテキストデータ化する処理を含むものとしたから、矢田部ギルフォード性格検査において、手作業の手間を少なくでき、また、判定結果が得られるまでの時間を非常に短くすることができる効果がある。
【発明を実施するための最良の形態】
【００２５】
以下、本発明の実施の形態について、図面を参照しながら説明する。
(実施の形態１)
図１は、本発明の実施の形態１に係る性格検査用紙の構成を示す図である。
図１に示すように、本実施の形態１による性格検査用紙１は、第１の用紙１１０とこの第１の用紙と重ね合わせてセットされる第２の用紙１２０ａとにより構成される。第１の用紙１１０の表面には被検者が質問に対する回答を記入する回答記入欄１１１が設けられ、第２の用紙１２０ａの表面には回答記入欄１１１に記入された回答が転写される回答転写欄１２１が設けられている。回答記入欄１１１と回答転写欄１２１は、第１の用紙１１０と第２の用紙１２０ａが重ね合わされたときに、丁度重なり合う位置に設けられており、第１の用紙１１０の回答記入欄１１１に記入した内容が第２の用紙１２０ａの回答転写欄１２１に選択的に転写されるように複写カーボン等の転写手段が設けられている。また、第２の用紙１２０ａの表面の所定箇所には、回答転写欄１２１に転写された内容をファクシミリ入力型光学式文字読取装置（Facsimile Optical Character Reader：ＦＡＸ−ＯＣＲ）で処理するのに用いるタイミングマーク１２２が設けられている。図２(a)は第１の用紙１１０を示す図、図３は第２の用紙１２０ａを示す図である。転写手段は、回答記入欄１１１の１２０問分ある回答欄のうち、あるものは「はい」または「？」に印をつけたときにはその印が回答転写欄１２１に転写されるが「いいえ」に印をつけたときにはその印が回答転写欄１２１に転写されず、残りのものは「いいえ」または「？」に印をつけたときにはその印が回答転写欄１２１に転写されるが「はい」に印をつけたときにはその印が回答転写欄１２１に転写されない、というように第１の用紙に記入した内容が第２の用紙に選択的に転写されるように設けられている。このような転写手段は、例えば、図２(b)に示すように第１の用紙１１０の裏面に選択的に複写カーボン１１５を設けることによって実現できるが、第１の用紙１１０の裏面に発色剤を塗布するとともに第２の用紙１２０ａの表面に選択的に顕色剤を塗布して、いわゆるノーカーボン方式のものを実現することも可能である。
【００２６】
次に、本実施の形態１による性格検査用紙を用いた性格検査方法について説明する。被検者は、「色々な人と知り合いになるのが楽しみである」、「人中ではいつも後の方に引込んでいる」等の１２０問の質問に対し、「はい」、「いいえ」、「どちらでもない、わからない」という回答を第１の用紙１１０の表面の回答記入欄１１１に○または△のマークで記入していく。第１の用紙１１０の回答記入欄１１１に記入した内容は転写手段により第２の用紙１２０ａの回答転写欄１２１に選択的に転写される。被検者による回答の記入が終了した後、性格検査用紙１から第１の用紙１１０を取り除き、回答転写欄１２１に回答記入欄１１１に記入した内容が選択的に転写された第２の用紙１２０ａのみを、性格検査の判定処理を行う業者に対しＦＡＸ送信する。このとき、第２の用紙１２０ａに図３のように印刷表示された「ＦＡＸ送信方向」が示す送信方向に従って送信する。性格検査の判定処理を行う業者では、ＦＡＸ送信されてくる第２の用紙１２０ａをＦＡＸ−ＯＣＲで受信する。ＦＡＸ−ＯＣＲとはFacsimile Optical Character Reader （ファクシミリ入力型光学式文字読取装置）の略であり、ＦＡＸから送られてくる用紙に書かれた手書の文字や記号を基準文字データと照らし合わせて識別しテキストデータに変換するシステムである。変換されたテキストデータはコンピュータで種々の加工が可能となる。ここでＦＡＸ−ＯＣＲによるテキストデータ化では、読み取り開始位置，読み取り方向，及び読み取り終了位置を正確に設定して、画像読み取りをし、テキストデータ化処理をする必要がある。本実施の形態による性格検査用紙では、手書きの回答マークが転写されてＦＡＸ送信される第２の用紙１２０ａが、その表面の所定位置にＦＡＸ−ＯＣＲで読み取り処理を行なうのに用いるタイミングマーク１２２ａ〜１２２ｃを備えており、ＦＡＸ−ＯＣＲは、ＦＡＸ送信されてくる第２の用紙１２０ａのタイミングマーク１２２ａおよび１２２ｂを検知して読み取り開始位置，及び読み取り方向を設定し、また、第２の用紙１２０ａのタイミングマーク１２２ｃを検知して読み取り終了位置を設定して、読み取り処理を行なう。これにより第２の用紙１２０ａの回答転写欄１２１のどの欄にどのマークが転写されているかを正確にテキストデータ化することができる。ＦＡＸ−ＯＣＲによるテキストデータ化処理の後、テキストデータ化された情報をコンピュータ処理し、調査される性格特徴の各尺度の粗点を求め、求めた粗点を表示したプロフィール表を作成し、作成したプロフィール表に基づいて性格の分類を行なう。作成したプロフィール表と性格分類の判定結果を被検者に対しＦＡＸにより送信するようにすれば、被検者は極めて速やかに判定結果を得ることができる。
【００２７】
このように本実施の形態１による性格検査用紙によれば、表面に加圧筆記される第１の用紙１１０と、該第１の用紙と重ね合わせてセットされる第２の用紙１２０ａと、前記第１の用紙１１０の表面に加圧筆記をしたときに該筆記した内容を前記第２の用紙１２０ａに転写する第１の転写手段とを備え、前記第２の用紙１２０ａが、その表面の所定位置に前記第１の転写手段により転写された内容をＦＡＸ−ＯＣＲで読み取り処理を行なうのに用いるタイミングマーク１２２ａ〜１２２ｃを有する構成としたから、ＦＡＸ−ＯＣＲを用いたコンピュータ処理により性格検査の判定処理を行なうことができ、手作業の手間を少なくでき、また、判定結果が得られるまでの時間を非常に短くすることができる。
【００２８】
(実施の形態２)
図４は、本発明の実施の形態２に係る性格検査用紙の構成を示す図である。
図４に示すように、本実施の形態２による性格検査用紙１１は、第１の用紙１１０とこの第１の用紙と重ね合わせてセットされる第２の用紙１２０ｂ、および第３の用紙１３０とにより構成される。第１の用紙１１０の表面には被検者が質問に対する回答を記入する回答記入欄１１１が設けられ、第２の用紙１２０ｂの表面には回答記入欄１１１に記入された回答が転写される回答転写欄１２１が設けられている。回答記入欄１１１と回答転写欄１２１は、第１の用紙１１０と第２の用紙１２０ｂが重ね合わされたときに、丁度重なり合う位置に設けられており、第１の用紙１１０の回答記入欄１１１に記入した内容が第２の用紙１２０ｂの回答転写欄１２１に選択的に転写されるように複写カーボン等の第１の転写手段が設けられている。また、第２の用紙１２０ｂの表面の所定箇所には、回答転写欄１２１に転写された内容をファクシミリ入力型光学式文字読取装置（Facsimile Optical Character Reader：ＦＡＸ−ＯＣＲ）で処理するのに用いるタイミングマーク１２２が設けられている。第２の用紙１２０ｂの表面にはさらに、回答転写欄１２１に転写された内容を集計した結果を手書きで記入するための集計値記入欄１２３が設けられている。第３の用紙１３０の表面には、集計値記入欄１２３に記入された集計値が転写される集計値転写欄１３１と、集計値転写欄１３１に転写された集計値に基づいて手書きで書き込みをするためのプロフィール表１３２が設けられている。集計値記入欄１２３と集計値転写欄１３１は、第２の用紙１２０ｂと第３の用紙１３０が重ね合わされたときに、丁度重なり合う位置に設けられており、第２の用紙１２０ｂの集計値記入欄１２３に記入した内容が第３の用紙１３０の集計値転写欄１３１に転写されるように複写カーボン等の第２の転写手段が設けられている。
【００２９】
本実施の形態２による性格検査用紙の第１の用紙１１０は、図２(a)に示す上記実施の形態１による性格検査用紙の第１の用紙と同じものである。また、図５(a)は第２の用紙１２０ｂを示す図、図６は第３の用紙１３０を示す図である。第１の転写手段は、回答記入欄１１１の１２０問分ある回答欄のうち、あるものは「はい」または「？」に印をつけたときにはその印が回答転写欄１２１に転写されるが「いいえ」に印をつけたときにはその印が回答転写欄１２１に転写されず、残りのものは「いいえ」または「？」に印をつけたときにはその印が回答転写欄１２１に転写されるが「はい」に印をつけたときにはその印が回答転写欄１２１に転写されない、というように第１の用紙に記入した内容が第２の用紙に選択的に転写されるように設けられている。このような第１の転写手段は、例えば、図２(b)に示すように第１の用紙１１０の裏面に選択的に複写カーボン１１５を設けることによって実現できるが、第１の用紙１１０の裏面に発色剤を塗布するとともに第２の用紙１２０ｂの表面に選択的に顕色剤を塗布して、いわゆるノーカーボン方式のものを実現することも可能である。また、第２の転写手段は、第２の用紙１２０ｂの集計値記入欄１２３に記入した内容が第３の用紙１３０の集計値転写欄１３１に転写されるように、例えば、図５(b)に示すように第２の用紙１２０ｂの裏面に選択的に複写カーボン１２５を設けることによって実現できるが、第１の転写手段の場合と同様、第２の用紙１２０ｂの裏面に発色剤を塗布するとともに第３の用紙１３０の表面に選択的に顕色剤を塗布して、いわゆるノーカーボン方式のものを実現することも可能である。また図６に示すように、第３の用紙１３０には、集計値転写欄１３１とともに、プロフィール表１３２が印刷されている。
【００３０】
次に、本実施の形態２による性格検査用紙を用いた性格検査方法について説明する。被検者は、「色々な人と知り合いになるのが楽しみである」、「人中ではいつも後の方に引込んでいる」等の１２０問の質問に対し、「はい」、「いいえ」、「どちらでもない、わからない」という回答を第１の用紙１１０の表面の回答記入欄１１１に○または△のマークで記入していく。第１の用紙１１０の回答記入欄１１１に記入した内容は転写手段により第２の用紙１２０ａの回答転写欄１２１に選択的に転写される。本実施の形態２による性格検査用紙を用いた性格検査において、ＦＡＸ−ＯＣＲを用いた性格検査の判定処理を業者に依頼する場合の動作は、被検者による回答の記入が終了した後、性格検査用紙１１から第１の用紙１１０を取り除き、回答転写欄１２１に回答記入欄１１１に記入した内容が選択的に転写された第２の用紙１２０ｂのみを、性格検査の判定処理を行う業者に対しＦＡＸ送信する。ＦＡＸ送信された第２の用紙１２０ｂに対するＦＡＸ−ＯＣＲを用いた性格検査の判定処理の動作は、上記実施の形態１で説明した、ＦＡＸ送信された第２の用紙１２０ａに対するＦＡＸ−ＯＣＲを用いた性格検査の判定処理の動作と同一であるので詳しい説明は省略する。
【００３１】
一方、ＦＡＸ送信ができない、または被検者の数が少ない、等の場合、ＦＡＸ−ＯＣＲを用いた性格検査の判定処理を業者に依頼するのではなく、手作業で性格検査の判定処理を行なうことがあるが、この場合は、以下のような工程で判定処理を行なう。被検者による回答の記入が終了した後、まず、性格検査用紙１１から第１の用紙１１０を取り除く。すなわち、第２の用紙１２０ｂと第３の用紙１３０の２枚が重なり合わせてセットされた状態とする。第２の用紙１２０ｂの回答転写欄１２１には回答記入欄１１１に記入した○または△のマークが選択的に転写されているので、この転写されたマークに応じて算出される点数をそれぞれの尺度の粗点の集計値記入欄１２３に記入する。集計値記入欄１２３に記入された集計値は第３の用紙の集計値転写欄１３１に転写される。その後、第２の用紙１２０ｂを取り除く。そして、第３の用紙１３０が１枚だけの状態で、集計値転写欄１３１に転写された粗点集計値を見ながら検査プロフィール表１３２の対応する値に印をつけて、この印をつけた検査プロフィール表１３２よりA(Average/平均)、B(Blacklist/不安定・積極型)、C(Calm/安定・消極型)、D(Director/安定・積極型)、E(Eccentric/不安定・消極型)の5つに分類する。
【００３２】
このように本実施の形態２による性格検査用紙によれば、表面に加圧筆記される第１の用紙１１０と、該第１の用紙と重ね合わせてセットされる第２の用紙１２０ｂと、第１の用紙１１０の表面に加圧筆記をしたときに該筆記した内容を第２の用紙１２０ｂに転写する第１の転写手段とを備え、第２の用紙１２０ａが、その表面の所定位置に前記第１の転写手段により転写された内容をＦＡＸ−ＯＣＲで読み取り処理を行なうのに用いるタイミングマーク１２２ａ〜１２２ｃを有する構成とするとともに、第１の用紙１１０，第２の用紙１２０ｂとともにセットされる第３の用紙１３０と、第２の用紙１２０ｂの表面に加圧筆記をしたときに該筆記した内容を第３の用紙１３０に転写する第２の転写手段とを備えた構成としたから、ＦＡＸ−ＯＣＲを用いたコンピュータ処理により性格検査の判定処理を行なうことができ、手作業の手間を少なくでき、また、判定結果が得られるまでの時間を非常に短くすることができるとともに、性格検査の手作業による判定処理を行なう場合にも対応できる効果がある。
【００３３】
なお、上記実施の形態１、及び実施の形態２の説明では、性格検査として矢田部ギルフォード性格検査を行なうものについて説明したが、本発明は、被検者が検査用紙に記入する回答内容をテキストデータ化し、このテキストデータ化された情報を用いてコンピュータで判定処理を行なうことのできるものであれば、他の性格検査にも適用することができ、上記各実施の形態と同様の効果を奏する。
【産業上の利用可能性】
【００３４】
本発明は、作業の手間が少なく、また、判定結果が得られるまでの時間を非常に短くすることのできる性格検査用紙、及び性格検査方法を提供することができるものであり、矢田部ギルフォード性格検査等の性格検査の分野において有用である。
【図面の簡単な説明】
【００３５】
【図１】本発明の実施の形態１に係る性格検査用紙の構成を示す図である。
【図２（ａ）】実施の形態１に係る性格検査用紙の第１の用紙を示す図である。
【図２（ｂ）】実施の形態１に係る性格検査用紙の転写手段の一例を説明するための図である。
【図３】実施の形態１に係る性格検査用紙の第２の用紙を示す図である。
【図４】本発明の実施の形態２に係る性格検査用紙の構成を示す図である。
【図５（ａ）】実施の形態２に係る性格検査用紙の第２の用紙を示す図である。
【図５（ｂ）】実施の形態２に係る性格検査用紙の第２の転写手段の一例を説明するための図である。
【図６】実施の形態２に係る性格検査用紙の第３の用紙を示す図である。
【図７】従来の性格検査用紙の構成を示す図である。
【図８】従来の性格検査用紙の第１の用紙を示す図である。
【図９】従来の性格検査用紙の第２の用紙を示す図である。
【図１０】性格検査に用いるプロフィール表を示す図である。
【符号の説明】
【００３６】
１，１１  性格検査用紙
１１０  第１の用紙
１１１  回答記入欄
１１５，１２５  転写カーボン
１２０ａ，１２０ｂ  第２の用紙
１２１  回答転写欄
１２２  タイミングマーク
１２３  集計値記入欄
１３０  第３の用紙
１３１  集計値転写欄
１３２  プロフィール表
【図１】
2006212283.tif 000003
【図２（ａ）】
2006212283.tif 000004
【図２（ｂ）】
2006212283.tif 000005
【図３】
2006212283.tif 000006
【図４】
2006212283.tif 000007
【図５（ａ）】
2006212283.tif 000008
【図５（ｂ）】
2006212283.tif 000009
【図６】
2006212283.tif 000010
【図７】
2006212283.tif 000011
【図８】
2006212283.tif 000012
【図９】
2006212283.tif 000013
【図１０】
2006212283.tif 000014